(57)【要約】【課題】美観を向上させて消費者の購買意欲を高めることができるパッケージ製品を提供する。【解決手段】パッケージ製品１は、包装容器２と、包装容器２に収容される被包装物３とを備える。包装容器２は、被包装物３が上に置かれる支持部５を内部に備えるとともに、支持部５上の被包装物３を外側から視認可能な可視部２３を周面部２２に備える。支持部５には、上から見てデザインが施されており、被包装物３は、上拡がりに傾斜するとともに支持部５の上面と向かい合い、かつ光を反射する傾斜面３２を外周面３１に備える。【選択図】図１
2020158137.tif 000002
【特許請求の範囲】
【請求項１】
包装容器と、前記包装容器に収容される被包装物と、を備え、
前記包装容器は、前記被包装物が上に置かれる支持部を内部に備えるとともに、前記支持部上の前記被包装物を外側から視認可能な可視部を周面部に備え、
前記支持部には、上から見てデザインが施されており、
前記被包装物は、上拡がりに傾斜するとともに前記支持部の上面と向かい合い、かつ光を反射する傾斜面を外周面に備える、パッケージ製品。
【請求項２】
前記傾斜面は、前記被包装物の底に連続して設けられている、請求項１に記載のパッケージ製品。
【請求項３】
前記傾斜面は、外側に凸となるように湾曲する曲面をなしている、請求項１又は２に記載のパッケージ製品。
【請求項４】
前記傾斜面は、下端から上端までの高さが５ｍｍ以上である、請求項１〜３のいずれかに記載のパッケージ製品。
【請求項５】
前記被包装物が、液状の薬剤が収容されるとともに１又は複数の揮散体が挿入されることで、前記揮散体により前記液状薬剤が吸い上げられて揮散される容器である、請求項１〜４のいずれかに記載のパッケージ製品。
【発明の詳細な説明】
【技術分野】
【０００１】
本発明は、包装容器を用いて商品などの被包装物を包装したパッケージ製品に関する。
【背景技術】
【０００２】
従来より、商品を販売するにあたり、シュリンクフィルムなどの透明な合成樹脂フィルムで商品を覆うことで包装することが一般的に行われている。しかし、例えば特許文献１に示す薬剤揮散器などの商品は、細い棒状の揮散体などの破損しやすい付属品を含むため、上述したシュリンクフィルムなどによる簡易包装ができず、例えば紙製の包装容器に収容して包装されている。
【先行技術文献】
【特許文献】
【０００３】
【特許文献１】特開２０１６−１２４６０３号公報
【発明の概要】
【発明が解決しようとする課題】
【０００４】
しかし、この種の包装容器は、外周面に包装した商品の絵や写真などが表されているものの、中身の商品を視認することができない。商品を店舗などで陳列する際、販売促進のためには、消費者の購買意欲を高める展示を行う必要があるが、中身の商品を視認することができないと、消費者の購買意欲を高めることができない。また、単に中身の商品を視認可能としただけでは、包装した商品の美観を高めることができないため、消費者の購買意欲を一層掻き立てるには不十分であった。
【０００５】
本発明は、上記課題を解決するためになされたものであり、美観を向上させて消費者の購買意欲を高めることができるパッケージ製品を提供することを目的とする。
【課題を解決するための手段】
【０００６】
本発明のパッケージ製品は、包装箱と、前記包装箱に収容される被包装物と、を備え、前記包装箱は、前記被包装物が上に置かれる支持部を内部に備えるとともに、前記支持部上の前記被包装物を外側から視認可能な可視部を周面部に備え、前記支持部には、上から見てデザインが施されており、前記被包装物は、上拡がりに傾斜するとともに前記支持部の上面と向かい合い、かつ光を反射する傾斜面を外周面に備えることを特徴とする。
【０００７】
本発明のパッケージ製品においては、前記傾斜面は、前記被包装物の底に連続して設けられていることが好ましい。
【０００８】
また、本発明のパッケージ製品においては、前記傾斜面は、外側に凸となるように湾曲する曲面とされていることが好ましい。
【０００９】
また、本発明のパッケージ製品においては、前記傾斜面は、下端から上端までの高さが５ｍｍ以上であることが好ましい。
【００１０】
また、本発明のパッケージ製品においては、前記被包装物が液状の薬剤が収容されるとともに１又は複数の揮散体が挿入されることで、前記揮散体により前記液状薬剤が吸い上げられて揮散される容器であることが好ましい。
【発明の効果】
【００１１】
本発明によれば、包装容器内で被包装物を載せる支持部にデザインが施されているとともに、被包装物は、上拡がりに傾斜するとともに支持部の上面と向かい合い、かつ光を反射する傾斜面を外周面に備えている。そのため、包装容器内に照明光や太陽光などの光が照射された際に、該光が支持部で反射され、支持部からの反射光が被包装物の傾斜面で反射されて、被包装物を包装容器の可視部を通して視認する人に届く。これにより、消費者がパッケージ製品を見た際に、支持部に施されたデザインが被包装物の傾斜面に映って見えるため、包装容器内の被包装物の美観を向上することができる。よって、消費者の購買意欲を高めることができる。
【図面の簡単な説明】
【００１２】
【図１】パッケージ製品の分解斜視図である。
【図２】パッケージ製品の要部の断面図である。
【図３】被包装物の傾斜面に支持部に施されたデザインが映し出される原理を説明する概略図である。
【図４】被包装物の変形例を示す正面図である。
【図５】パッケージ製品の変形例の分解斜視図である。
【図６】パッケージ製品の変形例の要部の断面図である。
【図７】（Ａ）が実施例１のパッケージ製品の要部を写した写真であり、（Ｂ）が実施例２のパッケージ製品の要部を写した写真である。
【図８】（Ａ）が比較例１のパッケージ製品の要部を写した写真であり、（Ｂ）が比較例２のパッケージ製品の要部を写した写真である。
【発明を実施するための形態】
【００１３】
以下、本発明のパッケージ製品の実施形態について、添付図面を参照して説明する。パッケージ製品とは、商品などの被包装物を包装容器を用いて包装したものを指す。
【００１４】
図１に示すように、パッケージ製品１は、包装容器２と、包装容器２に収容される被包装物３とを備えている。なお、本実施形態のパッケージ製品１は、被包装物３を保持する保持ケース４をさらに備えており、被包装物３は保持ケース４に保持された状態で包装容器２に収容される。
【００１５】
包装容器２は、底面部２０と、上蓋部２１と、底面部２０及び上蓋部２１の間の周面部２２とを備えており、内部に被包装物３の収容空間を有している。本実施形態では、包装容器２は、上下方向に長い縦長形状を呈する角型（直方体型）を呈しているが、包装容器２の形状は、特に限定されるものではなく、種々の形状とすることができる。
【００１６】
周面部２２は、内部の被包装物３を外側から視認可能な可視部２３を備えている。可視部２３は、包装容器２の素材を例えばガラス製、透明な合成樹脂製などの光透過性材料とすることで、包装容器２の周面部２２に設けることができる。本実施形態では、包装容器２は、透明な合成樹脂製である。なお、包装容器２の大部分の素材を例えば紙（板紙、ダンボールも含む）製、金属性、不透明な合成樹脂製などの光不透過性材料とする一方で、可視部２３にあたる部分の素材を例えばガラス製、透明な合成樹脂製などの光透過性材料とすることで、包装容器２の周面部２２に可視部２３を設けてもよい。
【００１７】
可視部２３は、周面部２２の少なくとも一部に備えられていればよい。可視部２３は、例えば被包装物３の真ん前、真後ろ、あるいは真横などの被包装物３とまっすぐに向き合う部分を含むように周面部２２に備えられていることが好ましい。なお、可視部２３は、必ずしも被包装物３の全部とまっすぐに向き合っている必要はなく、後述する被包装物３の傾斜面３２とまっすぐに向き合っていれば、被包装物３の一部とだけまっすぐに向き合っていてもよい。
【００１８】
周面部２２は、内部の被包装物を外側から視認できない不透明部２４を備えていてもよい。不透明部２４は、例えば商品となる被包装物３の宣伝・広告・説明などに供することができる。例えば商品名、製造及び／又は販売会社名、商品の特徴、商品の使用方法、商品の広告・宣伝のためや意匠性向上のためのイラスト（図形、絵、模様、ロゴ、ブランドマークなど）の表示のために不透明部２４が用いられる。
【００１９】
上蓋部２１は、この種の包装容器において周面部２２の上部開口を開閉可能とするために従来から用いられている構造を採用することができ、本実施形態では、上蓋フラップ２１０と、一対の支持フラップ２１１とで構成されており、上蓋フラップ２１０の先端に差込フラップ２１２が設けられている。
【００２０】
底面部２０は、被包装物３が保持ケース４を介して上に置かれる部分であり、本実施形態では被包装物３を下方より支持する支持部５を構成している。
【００２１】
底面部２０は、この種の包装容器において周面部２２の下部開口を閉塞するために従来から用いられている構造を採用することができ、本実施形態では、一対の下蓋フラップ２００と、一対の支持フラップ２０１とで構成されている。なお、底面部２０はワンタッチ底構造やアメリカンロック底構造としてもよい。
【００２２】
支持部５をなす底面部２０には、上から見てデザインが施されている。デザインは、色、模様、図形、絵などの他、記号や文字なども含む概念であり、視覚を通じて美観を生じさせるものである。デザインとしては、色、模様、図形、絵、記号、文字等のうちの少なくとも１種であってもよく、複数種の組み合わせであってもよい。デザインは、被包装物３に関連するものであるのが好ましいが、関連しないものであってもよい。本実施形態では、底面部２０は、色が付いた透明な合成樹脂製であり、デザインとして色が施されている。なお、底面部２０は、色に加えて又は色に代えて模様などが付けられていてもよいし、不透明であってもよい。
【００２３】
次に、被包装物３は、包装容器２に収容できるものであればその種類は特に限定されるものではなく、後述する傾斜面３２を外周面３１に備えるものであればいかなる種類・形状の物品であってもよい。本実施形態では、被包装物３は容器である。具体的には、薬剤揮散器に用いられる容器である。なお、薬剤揮散器とは、液状薬剤を収容した容器内に例えば棒状の揮散体１０を複数挿入したものであって、容器内の液状薬剤を各揮散体１０により吸い上げて容器外に揮散することで芳香効果などを発揮するものである。
【００２４】
被包装物３は、透明、半透明及び不透明のいずれであってもよく、また、無色及び有色のいずれであってもよい。なお、半透明とは、透明度が完全に透明ではないが、内部を視認することが可能な透明度を有していることをいう。被包装物３の素材は、特に限定されるものではなく、種々の素材を選択することができるが、光反射性材料を素材とするものであることが好ましく、例えばガラス製、合成樹脂製、金属製、陶器製などにすることが好ましい。被包装物３は、１種の素材のみで形成されていてもよく、複数種の素材を用いて形成されていてもよい。本実施形態では、被包装物３である容器が、無色透明なガラス製の容器本体３Ａと、容器本体３Ａの上部に着脱自在な金属製のキャップ３Ｂとで構成されている。
【００２５】
被包装物３は、接地する底３０及び底３０から延在する外周面３１を備えており、外周面３１に傾斜面３２を備えている。傾斜面３２は、光を反射可能である。本実施形態では、被包装物３がガラスや金属などの光反射性材料を素材とすることで、傾斜面３２を含む外周面３１で光を反射可能としている。
【００２６】
傾斜面３２は、上拡がりに傾斜する面であり、上方に向かうに連れて外側に張り出すように傾斜している。傾斜面３２は、包装容器２内において、被包装物３の下方に位置する支持部５の上面と向かい合っており、面同士が相対している。本実施形態では、傾斜面３２は、被包装物３の底３０に連続して設けられており、支持部５のほぼ直上に位置している。
【００２７】
ここで、被包装物３の外周面３１が支持部５の上面と向かい合う傾斜面３２を備えていないと、図３（Ｂ）に示すように、支持部５からの反射光は、被包装物３の外周面３１により被包装物３を包装容器２の可視部２３を通して視認する人に向けてほとんど反射されない。よって、包装容器２の支持部５に施されたデザインが被包装物３の外周面３１にほとんど映し出されない。
【００２８】
これに対して、傾斜面３２が包装容器２内で支持部５の上面と向かい合っていることにより、図３（Ａ）に示すように、包装容器２内に照明光や太陽光などの光が照射された際、当該光は支持部５により被包装物３の傾斜面３２に向けて反射され、さらに、傾斜面３２により被包装物３を包装容器２の可視部２３を通して視認する人に向けて反射される。これにより、包装容器２の支持部５に施されたデザインが被包装物３の傾斜面３２に映し出されるので、被包装物３の美観を向上することができる。
【００２９】
傾斜面３２の傾斜の仕方は、特に限定されるものではなく、本実施形態では、傾斜面３２は、外側に突き出るように湾曲する凸曲面とされている。すなわち、本実施形態では、被包装物３の外周面３１は、底３０から丸みをもって膨らみながら立ち上がるように形成されている。傾斜面３２が凸曲面とされていることにより、支持部５からの反射光を被包装物３の傾斜面３２が受けた際に、傾斜面３２のレンズ効果により支持部５のデザインをより広範囲にわたって傾斜面３２に映し出すことができる。
【００３０】
なお、傾斜面３２は、図４（Ａ）に示すように、内側にへこむように湾曲する凹曲面とされていてもよいし、図４（Ｂ）に示すように、真っ直ぐに延びる平坦面とされていてもよい。また、被包装物３の上部側については、外周面３１が先細りながら上端まで延びているが、上部側の外周面３１の形状は特に限定されるものではなく、種々の形状とすることができる。
【００３１】
また、傾斜面３２は、必ずしも被包装物３の底３０に連続して設けられている必要はなく、図４（Ｃ）に示すように、被包装物３が底３０と傾斜面３２との間に台座部３３などを備えていて、傾斜面３２は、支持部５の上方に間隔Ｓをあけて位置していてもよい。なお、間隔Ｓとしては、特に限定されるものではないが、２０ｍｍ以下であることが好ましく、１０ｍｍ以下あることがより好ましい。
【００３２】
また、傾斜面３２は、特に限定されるものではないが、下端から上端までの高さＨが５ｍｍ以上であることが好ましく、１０ｍｍ以上であることがより好ましい。傾斜面３２の高さＨが５ｍｍ以上より好ましくは１０ｍｍ以上であることにより、支持部５からの反射光を被包装物３の高さ方向の広範囲で反射させることができるので、支持部５に施されたデザインを被包装物３の外周面３１に広範囲に映し出すことができる。なお、傾斜面３２の上端は、上拡がりに傾斜しなくなる終端を指す。
【００３３】
また、傾斜面３２は、被包装物３の外周面３１において周方向の一部にだけ存在していてもよいが、本実施形態のように周方向の１周にわたって存在していることが好ましい。これにより、支持部５からの反射光を被包装物３の周方向の広範囲で反射させることができるので、支持部５に施されたデザインを被包装物３の外周面３１に広範囲に映し出すことができる。
【００３４】
被包装物３の外周面３１は、傾斜面３２も含めて滑らかな面に形成されていてもよいし、その全部又は一部に、例えば周方向又は高さ方向に間隔をあけて筋状の突起又は溝を形成して外周面３１を凹凸させるなど、形状変化が付与されていてもよい。
【００３５】
次に、保持ケース４は、その全体が透明又は半透明に形成されている。これにより、包装容器２内で支持部５の上面と被包装物３の傾斜面３２との間に保持ケース４の一部が介在していても、支持部５から被包装物３に向かって反射した光が保持ケース４に遮られることが防止されている。保持ケース４は、被包装物３の収容空間４０を備えている。さらに、保持ケース４は、付属品、例えば揮散体１０の収容空間４１や、液状薬剤の入ったボトル（図示は省略）の収容空間４２を備えていてもよい。保持ケース４は、例えばポリエチレンテレフタレートやポリ塩化ビニルなどからなる透明な合成樹脂シートを所定形状に成形したブリスターシートを好ましく用いることができるが、これに限定されるものではなく、他の種々の代替物を用いることができる。
【００３６】
以上、上述した構成の本実施形態のパッケージ製品１によれば、包装容器２内の被包装物３を載せる支持部５にデザインが施されているとともに、被包装物３は、上拡がりに傾斜するとともに支持部５の上面と向かい合い、かつ光を反射する傾斜面３２を外周面３１に備えている。そのため、包装容器２内に照明光や太陽光などの光が照射された際に、該光が支持部５で反射され、支持部５からの反射光が被包装物３の傾斜面３２で反射されて、被包装物３を包装容器２の可視部２３を通して視認する人に届く。これにより、消費者がパッケージ製品１を見た際に、支持部５に施されたデザインが被包装物３の傾斜面３２に映って見えるため、包装容器２内の被包装物３の美観を向上することができる。よって、消費者の購買意欲を高めることができる。
【００３７】
また、本実施形態のパッケージ製品１によれば、被包装物３の傾斜面３２は、被包装物３の底３０に連続して設けられており、傾斜面３２が支持部５のほぼ直上に位置している。これにより、支持部５からの反射光を被包装物３の傾斜面３２で強く反射させることができる。よって、支持部５に施されたデザインを被包装物３の傾斜面３２に明瞭に映し出すことができるので、被包装物３の美観をさらに向上することができる。
【００３８】
また、本実施形態のパッケージ製品１によれば、被包装物３の傾斜面３２は、外側に凸となるように湾曲する曲面とされている。これにより、支持部５からの反射光を被包装物３の傾斜面３２が受けた際に、傾斜面３２のレンズ効果により支持部５のデザインをより広範囲にわたって傾斜面３２に映し出すことができる。よって、被包装物３の美観をさらに向上することができる。
【００３９】
また、本実施形態のパッケージ製品１によれば、被包装物３の傾斜面３２は、下端から上端までの高さが５ｍｍ以上より好ましくは１０ｍｍ以上である。これにより、支持部５からの反射光を被包装物３の高さ方向の広範囲で反射させることができる。よって、支持部５に施されたデザインを被包装物３の外周面３１に広範囲に映し出すことができるので、被包装物３の美観をさらに向上することができる。
【００４０】
以上、本発明の一実施形態について説明したが、本発明は上記実施形態に限定されるものではなく、その趣旨を逸脱しない限りにおいて、種々の変更が可能である。
【００４１】
例えば、上記実施形態では、包装容器２の底面部２０にデザインを施しているが、図５及び図６に示すように、底面部２０にデザインを施すことなく、底面部２０上に鏡面部６及び装飾部７を設けることで、支持部５を構成してもよい。
【００４２】
鏡面部６は、底面部２０上に敷かれている。鏡面部６は、上面が鏡面に形成されている。鏡面とは、鏡の面のように物が映るほど平滑であり、光の反射率の高い面を指す。鏡面部６は、包装容器２内に照明光や太陽光などの光が照射された際に、該光を効果的に反射して、支持部５上の被包装物３に反射光を照射する。なお、鏡面部６は、断面視でＬ字形状をなしていて、互いに直交する水平部及び垂直部を備えており、水平部が底面部２０上に敷かれている一方で、垂直部は包装容器２の周面部２２のうち、可視部２３と対向する部分の内側に設けられている。
【００４３】
鏡面部６の上面は、金属光沢を有している。鏡面部６の上面が金属光沢を有していることにより、支持部５は光をより反射しやすいものとされている。加えて、金属光沢によってパッケージ製品１を、高級感を持たせた外観とすることができる。鏡面部６の上面の色は特に限定されるものではなく、シルバーやゴールドなど、種々の色にすることができる。
【００４４】
鏡面部６は、例えば板紙などのシートに、例えば金属箔などの金属光沢を有するシートを貼り付けたり、金属粒子を配合した金属インキを印刷や塗装したりすることで上面を金属光沢のある鏡面に形成することができる。また、鏡面部６に金属製の板を用いたり、合成樹脂製やガラス製の板に金属薄膜層を蒸着、メッキ、転写などの方法で形成したものを用いてもよい。
【００４５】
なお、鏡面部６の上面は、必ずしも金属光沢を有する鏡面である必要はなく、例えば合成樹脂製やガラス製の板の上面を鏡面仕上げすることによって、金属光沢を有さない鏡面に形成してもよい。
【００４６】
装飾部７は、鏡面部６上に敷かれている。装飾部７にはデザインが施されている。装飾部７は、それ自体が光を反射することで、包装容器２内に照明光や太陽光などの光が照射された際に、該光を反射して、支持部５上の被包装物３に反射光を照射する。加えて、装飾部７は、光透過性を有することで、直下に位置する鏡面部６からの反射光を透過させて、支持部５上の被包装物３に照射させてもよい。図５及び図６の実施形態では、装飾部７は、色の付いた透明又は半透明の合成樹脂シートが用いられている。なお、装飾部７は、色に加えて又は色に代えて模様などが付けられていてもよいし、不透明であってもよい。
【００４７】
図５及び図６の実施形態のパッケージ製品１によれば、支持部５は、光透過性を有しかつデザインが施された装飾部７と、装飾部７の直下に位置しかつ上面が鏡面に形成された鏡面部６とを備えている。これにより、照明光や太陽光などの光を支持部５で効果的に反射させて被包装物３の傾斜面３２に照射することができる。よって、支持部５に施されたデザインを被包装物３の傾斜面３２に明瞭に映し出すことができるので、被包装物３の美観をさらに向上することができる。
【００４８】
加えて、図５及び図６の実施形態のパッケージ製品１によれば、鏡面部６の上面は、金属光沢を有している。これにより、支持部５によって照明光や太陽光などの光がさらに反射されやすくなるので、光を支持部５で効果的に反射させて被包装物３の傾斜面３２に照射することができる。よって、支持部５に施されたデザインを被包装物３の傾斜面３２に明瞭に映し出すことができるので、被包装物３の美観をさらに向上することができる。
【００４９】
なお、図５及び図６の実施形態においては、鏡面部６は必ずしも必要ではなく、省略することができる。
【００５０】
また、上記実施形態では、包装容器２の底面部２０が、被包装物３が上に置かれる支持部５とされているが、包装容器２内の底面部２０上に水平に架け渡した棚部を設け、棚部に被包装物３を載せるとともに棚部にデザインを施すことで、棚部を支持部５としてもよい。
【００５１】
また、上記実施形態では、包装容器２に被包装物３が１つしか収容されていないが、例えば上下複数段及び／又は左右複数列など、被包装物３を複数収容してもよい。この場合、被包装物３の数に応じて支持部５や可視部２３の形状、大きさ、数、配置などを適宜設計すればよい。
【００５２】
また、上記実施形態では、包装容器２に保持ケース４が被包装物３とともに収容されているが、保持ケース４は必ずしも必要ではない。
【００５３】
また、上記実施形態では、被包装物３が容器、特に薬剤揮散器に用いられる容器を例にして説明したが、被包装物３は、容器に限定されるものではなく、いかなる種類・形状の物品であってもよい。
【実施例】
【００５４】
以下、本発明の実施例について説明する。ただし、本発明は、以下の実施例に限定されない。
【００５５】
図１に示す実施形態に係るパッケージ製品を製造し、これを実施例とした。被包装物は、無色透明のガラス製の容器である。容器の外周面には、外側に凸となるように湾曲する傾斜面が容器の底から延びるように設けられており、傾斜面の高さは約２５ｍｍである。被包装物（容器）を収容する包装容器は合成樹脂製であり、正面の可視部は無色透明とされ、支持部をなす底面は有色透明とされていて、底面にブルーの色のデザインが施されたものを実施例１とし、底面にピンクの色のデザインが施されたものを実施例２とした。実施例１，２のパッケージ製品を正面から撮影したところ、図７に示す写真が得られた。
【００５６】
さらに、被包装物として、無色透明のガラス製でありかつ図３（Ｂ）に示すような外周面に傾斜面を備えない形状の容器を用意し、これを実施例と同じく、底面にブルーの色のデザインが施された包装容器に収容したパッケージ製品を比較例１とし、底面にピンクの色のデザインが施された包装容器に収容したパッケージ製品を比較例２とした。比較例１，２のパッケージ製品を正面から撮影したところ、図８に示す写真が得られた。
【００５７】
図７と図８とを比較すれば明らかなとおり、実施例１，２のパッケージ製品では、支持部をなす包装容器の底面に施されたデザイン（色）が被包装物（容器）の外周面にはっきりと映し出されているのに対して、比較例１，２のパッケージ製品では、支持部をなす包装容器の底面に施されたデザイン（色）が被包装物（容器）の外周面にほとんど映し出されなかった。よって、実施例のパッケージ製品は、比較例よりも包装容器内の被包装物の美観が高められることが確認され、消費者の購買意欲の向上が可能であることが分かる。
【符号の説明】
【００５８】
１    パッケージ製品
２    包装箱
３    被包装物容器本体
５    支持部
２０  底面部
２２  周面部
２３  可視部
３１  外周面
３２  傾斜面
【図１】
2020158137.tif 000003
【図２】
2020158137.tif 000004
【図３】
2020158137.tif 000005
【図４】
2020158137.tif 000006
【図５】
2020158137.tif 000007
【図６】
2020158137.tif 000008
【図７】
2020158137.tif 000009
【図８】
2020158137.tif 000010